(57)【要約】【課題】架線梯子の設置位置や傾斜角度を調整可能に腕金に固定することで、作業者が安定な姿勢を保ちながら作業でき、また強風による架線梯子の揺れ、作業者の作業中の移動による揺れを防止し、作業の安全性を向上させる。【解決手段】腕金Ａ鋼材の一方の端縁に着脱自在に掛け止める第一治具６と、該腕金Ａ鋼材の他方の端縁に着脱自在に掛け止める第二治具７とから成る腕金側固定金具２と、腕金側固定金具２に上下方向に位置調節可能に取り付けた支持棒３と、支持棒３に、上下方向に位置調節可能に取り付けた支持棒懸吊治具１４と、支持棒懸吊治具１４に角度調節機構１３を介在して設けた、架線梯子５１を側方から着脱自在に掛け止める梯子固定治具４とから成る梯子側固定金具５と、を備えた。【選択図】図１
2011188659.tif 000002
【特許請求の範囲】
【請求項１】
鉄塔における送電線、碍子連（Ｉ）を保守点検する際に、該鉄塔の腕金（Ａ）に架線梯子（５１）を着脱自在に固定する架線梯子用固定具（１）であって、
前記腕金（Ａ）鋼材の一方の端縁に着脱自在に掛け止める第一治具（６）と、該腕金（Ａ）鋼材の他方の端縁に着脱自在に掛け止める第二治具（７）とから成る腕金側固定金具（２）と、
前記腕金側固定金具（２）に上下方向に位置調節可能に取り付けた支持棒（３）と、
前記支持棒（３）に、上下方向に位置調節可能に取り付けた支持棒懸吊治具（１４）と、該支持棒懸吊治具（１４）に角度調節機構（１３）を介在して設けた、前記架線梯子（５１）を側方から着脱自在に掛け止める梯子固定治具（４）とから成る梯子側固定金具（５）と、を備えた、ことを特徴とする架線梯子用固定具。
【請求項２】
前記腕金側固定金具（２）は、
その第一治具（６）は、前記腕金（Ａ）鋼材の一方の端縁に掛け止める反し部（８）を形成したブロック状の治具であり、前記支持棒（３）を上下方向に挿通させる挿通孔（９）を有し、
前記第二治具（７）は、該腕金（Ａ）鋼材の他方の端縁に掛け止める反し部（１０）を形成した板状の治具であり、前記支持棒（３）を上下方向に挿通させる長孔（１１）を有し、  
前記第一治具（６）と前記第二治具（７）に前記腕金（Ａ）鋼材を掛け止めた状態で、該第一治具（６）と第二治具（７）の長孔（１１）とに前記支持棒（３）を挿通させ、該支持棒（３）を第一治具（６）の上側と前記第二治具（７）の下側からそれぞれナット（１２）で締結し得るように構成した、ことを特徴とする請求項１の架線梯子用固定具。
【請求項３】
前記梯子側固定金具（５）は、
その支持棒懸吊治具（１４）は、前記支持棒（３）を貫通させる挿通孔を一端に、前記角度調節機構（１３）を他端に設けた棒状の部材であり、該挿通孔に該支持棒（３）を挿通させ、該支持棒（３）を該支持棒懸吊治具（１４）の上下側からそれぞれ締結するナット（１２）と、
前記梯子固定治具（４）は、該角度調節機構（１３）に設けた板材（１５）から前記架線梯子（５１）の側方から着脱自在に掛け止める掛止め部（１６）と、から成る、ことを特徴とする請求項１の架線梯子用固定具。
【請求項４】
前記角度調節機構（１３）は、前記支持棒懸吊治具（１４）の棒状部材をその軸周りに回動可能に前記板材（１５）に連結すると共に、該支持棒懸吊治具（１４）の棒状部材に軸周りに複数本の回転子（１７）を設け、該回転子（１７）の回動を規制するストッパ（１８）を該板材（１５）側に設けた、ことを特徴とする請求項１又は３の架線梯子用固定具。
【請求項５】
前記角度調節機構（１３）は、前記支持棒懸吊治具（１４）の棒状部材をその軸周りに回動可能に前記板材（１５）に連結すると共に、該支持棒懸吊治具（１４）の棒状部材に表面に凹凸を有する円筒部を設け、該円筒部の回動を規制するストッパ（１８）を該板材（１５）側に設けた、ことを特徴とする請求項１又は３の架線梯子用固定具。
【請求項６】
前記支持棒（３）は、その上下端に前記腕金側固定金具（２）の挿通孔（９）と長孔（１１）、及び梯子側固定金具（５）の挿通孔からの抜けを防止する抜け止め（１９）をそれぞれ設けた、ことを特徴とする請求項１の架線梯子用固定具。
【発明の詳細な説明】
【技術分野】
【０００１】
本発明は、鉄塔上部においてジャンパー線等の送電線を保守点検する際に作業者の足場になる架線梯子に係り、特にこの架線梯子を鉄塔の腕金等に固定するときに用いる架線梯子用固定具に関する。
【背景技術】
【０００２】
従来から、鉄塔上部においてジャンパー線の開閉等の作業をする際に、鉄塔の腕金下部に架線梯子を吊り下げ、又は足場ロープを使用して足場を確保して作業している。この腕金下部における作業は、不安定な姿勢での作業になりやすい。鉄塔の腕金下部の作業は、中腰状態の作業が多いため、腰痛などの身体的負担が大きくなりやすく、更に資機材を落下させるおそれもあった。
【０００３】
この架線梯子５１の一例としては、図１０に示すように、２本の板材５２間に複数本の横木５３を取り付けた梯子本体５４と、この梯子本体５４の長手方向の一端側に棒状部材５５を介して吊下げフック５６を取り付け、他端側にボルト・ナット等の取付金具５７を備えたものがある。このような架線梯子５１は、碍子連Ｉの点検作業に際して、吊下げフック５６を碍子連Ｉ等に引っ掛け、安全装置を取り付け、取付金具５７を塔体Ｂ又は腕金Ａ側の鋼材に固定して設置が完了する。
【０００４】
更に、このような架線梯子に関する技術としては、例えば特許文献１の特開２００８−１８２７９５号公報「架線梯子用補助アームおよび架線梯子」のように、架線梯子の先端領域に装着される補助アームであって、先端領域に係止される係止部材と、電力線に一端が係合される吊り部材とをそれぞれ両端部に備えた懸架体からなる架線梯子用補助アームが提案されている。
【特許文献１】特開２００８−１８２７９５号公報
【発明の開示】
【発明が解決しようとする課題】
【０００５】
しかし、図１０に示すような架線梯子５１は、主に耐張鉄塔の乗り出し用として使われ、腕金下部作業においては、この架線梯子５１を吊り下げて使用するため、保守点検作業中にこの架線梯子５１が不用意に揺れやすかった。作業中に足元が不安定な状態になり、安全な作業を確保しづらいという問題を有していた。例えば、停電等の供給支障の早期解消を図るために実施するジャンパー開閉作業を迅速に実施できないという問題を有していた。
【０００６】
本発明は、かかる問題点を解決するために創案されたものである。すなわち、本発明の目的は、架線梯子の設置位置や傾斜角度を調整可能に腕金に固定することで、作業者が安定な姿勢を保ちながら作業でき、また強風による架線梯子の揺れ、作業者の作業中の移動による揺れを防止し、作業の安全性を向上させた架線梯子用固定具を提供することにある。
【課題を解決するための手段】
【０００７】
本発明は、鉄塔における送電線、碍子連（Ｉ）を保守点検する際に、該鉄塔の腕金（Ａ）に架線梯子（５１）を着脱自在に固定する架線梯子用固定具（１）であって、前記腕金（Ａ）鋼材の一方の端縁に着脱自在に掛け止める第一治具（６）と、該腕金（Ａ）鋼材の他方の端縁に着脱自在に掛け止める第二治具（７）とから成る腕金側固定金具（２）と、前記腕金側固定金具（２）に上下方向に位置調節可能に取り付けた支持棒（３）と、前記
支持棒（３）に、上下方向に位置調節可能に取り付けた支持棒懸吊治具（１４）と、該支持棒懸吊治具（１４）に角度調節機構（１３）を介在して設けた、前記架線梯子（５１）を側方から着脱自在に掛け止める梯子固定治具（４）とから成る梯子側固定金具（５）と、を備えた、ことを特徴とする。
【０００８】
例えば、前記腕金側固定金具（２）は、その第一治具（６）は、前記腕金（Ａ）鋼材の一方の端縁に掛け止める反し部（８）を形成したブロック状の治具であり、前記支持棒（３）を上下方向に挿通させる挿通孔（９）を有し、前記第二治具（７）は、該腕金（Ａ）鋼材の他方の端縁に掛け止める反し部（１０）を形成した板状の治具であり、前記支持棒（３）を上下方向に挿通させる長孔（１１）を有し、前記第一治具（６）と前記第二治具（７）に前記腕金（Ａ）鋼材を掛け止めた状態で、該第一治具（６）と第二治具（７）の長孔（１１）とに前記支持棒（３）を挿通させ、該支持棒（３）を第一治具（６）の上側と前記第二治具（７）の下側からそれぞれナット（１２）で締結し得るように構成したものである。
【０００９】
前記梯子側固定金具（５）は、その支持棒懸吊治具（１４）は、前記支持棒（３）を貫通させる挿通孔を一端に、前記角度調節機構（１３）を他端に設けた棒状の部材であり、該挿通孔に該支持棒（３）を挿通させ、該支持棒（３）を該支持棒懸吊治具（１４）の上下側からそれぞれ締結するナット（１２）と、前記梯子固定治具（４）は、該角度調節機構（１３）に設けた板材（１５）から前記架線梯子（５１）の側方から着脱自在に掛け止める掛止め部（１６）と、から成るものである。
【００１０】
前記角度調節機構（１３）は、前記支持棒懸吊治具（１４）の棒状部材をその軸周りに回動可能に前記板材（１５）に連結すると共に、該支持棒懸吊治具（１４）の棒状部材に軸周りに複数本の回転子（１７）を設け、該回転子（１７）の回動を規制するストッパ（１８）を該板材（１５）側に設けたものである。
また、前記角度調節機構（１３）は、前記支持棒懸吊治具（１４）の棒状部材をその軸周りに回動可能に前記板材（１５）に連結すると共に、該支持棒懸吊治具（１４）の棒状部材に表面に凹凸を有する円筒部を設け、該円筒部の回動を規制するストッパ（１８）を該板材（１５）側に設けたものである。
前記支持棒（３）は、その上下端に前記腕金側固定金具（２）の挿通孔（９）と長孔（１１）、及び梯子側固定金具（５）の挿通孔からの抜けを防止する抜け止め（１９）をそれぞれ設けることが好ましい。
【発明の効果】
【００１１】
本発明の構成では、架線梯子（５１）を設置する位置や傾斜角度を調整可能にした構造に成り、ジャンパー線（Ｊ）を保守点検する際には、無理のない正しい姿勢で作業できるため、安全に作業ができる。しかも、架線梯子（５１）が揺れないので、鉄塔の外側からも作業がしやすくなる。このように架線梯子（５１）を腕金（Ａ）の下方位置に固定することができ、ジャンパー線（Ｊ）開閉作業は勿論のこと、碍子取替や架線金具点検・修理といった保守点検作業を安全かつ迅速に実施することができる。
【００１２】
腕金側固定金具（２）は、第一治具（６）と第二治具（７）との組み合わせで腕金（Ａ）を掛け止める構造であり、鉄塔鋼材の大きさの相違にそれぞれ対応することができる。特に、大きさの相違に限らず、第一治具（６）と第二治具（７）との位置を変えることで、鉄塔の雨受け、雨よけの何れの状態でも取り付けることができる。
更に、支持棒（３）の上下に腕金側固定金具（２）と梯子側固定金具（５）とを組み合わせ、かつその上下方向の位置を調節できる構造に成るので、懸垂鉄塔、耐張鉄塔の何れの形態の鉄塔の腕金（Ａ）にも用いることができる。
【００１３】
また、梯子側固定金具（５）には角度調節機構（１３）を備え、架線梯子（５１）を傾斜した状態で強固に固定できるので、架線梯子（５１）の一端と鉄塔側とを連結固定する梯子固定補助具（５８）の長さに拘泥されることなく、汎用の架線梯子（５１）を腕金（Ａ）下部に固定することができる。
【００１４】
このように、姿勢が安定することによる安心感が向上し、鉄塔上における作業上のヒューマンエラーの防止に貢献することができる。更に、設備・業務の信頼度・安全性の向上に寄与することができる。
【図面の簡単な説明】
【００１５】
【図１】本発明の架線梯子用固定具の一部省略した状態を示し、（ａ）は側面図、（ｂ）は正面図、（ｃ）は背面図である。
【図２】腕金側固定金具を示す拡大平面図である。
【図３】梯子側固定金具を示す拡大図であり、（ａ）は正断面図、（ｂ）は側断面図である。
【図４】架線梯子用固定具を用いて架線梯子を腕金に固定した状態の平面図である。
【図５】架線梯子用固定具を用いて架線梯子を腕金に固定した状態の側面図である。
【図６】架線梯子用固定具を用いて架線梯子を腕金に固定した状態の正面図である。
【図７】本発明の架線梯子用固定具を用いて架線梯子を耐張鉄塔の腕金に固定する状態を示す側面図である。
【図８】本発明の架線梯子用固定具を用いて架線梯子を耐張鉄塔の腕金に他の手段で固定する状態を示す側面図である。
【図９】本発明の架線梯子用固定具を用いて架線梯子を懸垂鉄塔の腕金に固定する状態を示す側面図である。
【図１０】従来の梯子型作業足場を示す斜視図である。
【発明を実施するための最良の形態】
【００１６】
本発明の架線梯子用固定具は、鉄塔における送電線、碍子連を保守点検する際に、この鉄塔の腕金に架線梯子を着脱自在に固定する際に用いる固定具である。
【実施例１】
【００１７】
以下、本発明の好ましい実施の形態を図面を参照して説明する。
図１は本発明の架線梯子用固定具の一部省略した状態を示し、（ａ）は側面図、（ｂ）は正面図、（ｃ）は背面図である。図２は腕金側固定金具を示す拡大平面図である。
本発明の架線梯子用固定具１は、鉄塔の腕金（Ａ）鋼材に着脱自在に掛け止める腕金側固定金具２と、この腕金側固定金具２に上下方向に移動調節可能に取り付けた支持棒３と、この支持棒３に、上下方向に移動調節可能に取り付け、架線梯子５１を側方から着脱自在に掛け止める梯子固定治具４とから成る梯子側固定金具５とを備えたものである。この架線梯子用固定具１は、２個１組で使用するものであり、鉄塔におけるジャンパー線Ｊ、送電線、碍子連Ｉを保守点検する際に、鉄塔の腕金Ａに架線梯子５１の側面に装着する。更に、架線梯子５１の鉄塔側の鋼材に梯子固定補助具５８を掛け止めて装着が完了する。
【００１８】
腕金側固定金具２は、腕金Ａ鋼材の一方の端縁に着脱自在に掛け止める第一治具６と、腕金Ａ鋼材の他方の端縁に着脱自在に掛け止める第二治具７から成る。ここで第一治具６と第二治具７としたので便宜上それぞれの治具を区別するために用いた表現である。
【００１９】
腕金側固定金具２の第一治具６と第二治具７、及び梯子側固定金具５は、例えばアルミニウム製の材料で軽量かつ強固に構成したものが好ましい。支持棒３は高所に容易に運搬できるように中空に形成したものが好ましい。素材はある程度の剛性があれば、アルミニウム製に限定されず、他の金属又は合成樹脂材を用いることも可能である。
【００２０】
この第一治具６は、腕金Ａの鋼材の一方の端縁に掛け止める反し部８を形成したブロック状の治具であり、支持棒３を上下方向に挿通する挿通孔９を有する。この第一治具６は、支持棒３の長手方向に調節可能に固定し得る構造になり、腕金Ａの鋼材の端縁の長さＬ１に合わせて掛け止めることができる。
【００２１】
第二治具７は、図２に示すように、腕金Ａの他方の端縁に、掛け止める反し部１０を形成した板状の治具である。第二治具７には長孔１１が形成されているので、支持棒３の長手方向に直角な方向への調節が可能になり、腕金Ａの他方の端縁の長さＬ２に合わせて掛け止めることができる。図示例は「雨受け」の鋼材それぞれの端縁に掛け止める状態を説明している。なお、鋼材が「雨よけ」のときは第一治具６と第二治具７の配置を逆にすればよい。
【００２２】
腕金側固定金具２は、第一治具６と第二治具７に腕金Ａの鋼材を掛け止め、この第一治具６の挿通孔９と第二治具７の長孔１１とに支持棒３を挿通させ、この支持棒３を第一治具６の上側から、第二治具７の下側からナット１２でそれぞれ締結する。これにより、腕金Ａ側への掛け止めが可能になる。同時に、第二治具７の長孔１１により、腕金Ａの鋼材の寸法の相違に応じて調整しながらナット１２で締結する。
【００２３】
また、腕金側固定金具２は、第一治具６と第二治具７とは、支持棒３の長手方向を回動中心としてそれぞれの向きを変えられる。そこで、腕金Ａの鋼材の向き、形状の相違に追従して掛け止めることができる。
【００２４】
腕金側固定金具２と梯子側固定金具５とは支持棒３で連結する。この支持棒３は、図５、図６に示すように、本発明の架線梯子用固定具１で架線梯子５１を腕金Ａに固定したときに、作業者がその腕金Ａ下部において中腰の姿勢にならない程度の空間が形成される長さが必要である。この支持棒３は、腕金側固定金具２に上下方向に移動調節可能に取り付け、架線梯子５１の位置や傾斜角度を調整可能に腕金Ａに固定する。
【００２５】
図３は梯子側固定金具を示す拡大図であり、（ａ）は正断面図、（ｂ）は側断面図である。
梯子側固定金具５は、架線梯子５１を側方から着脱自在に掛け止める梯子固定治具４と角度調節機構１３と支持棒懸吊治具１４から成る。この支持棒懸吊治具１４は、棒状の部材であり、その一端に支持棒３を貫通させる挿通孔を、他端に角度調節機構１３を連結した。この挿通孔に支持棒３を挿通させ、支持棒３をナット１２で支持棒懸吊治具１４の上下側に締結した。これにより架線梯子５１側の固定が可能になる。
【００２６】
梯子固定治具４は、図３（ａ）に示すように、角度調節機構１３に設けた板材１５から架線梯子５１を側方から着脱自在に掛け止める反しを有する掛止め部１６を形成した治具である。この掛止め部１６の他端には、この掛止め部１６の板材１５からの突出量を調節するナット１２（ダブルナット）を取り付けている。
【００２７】
角度調節機構１３は、支持棒懸吊治具１４をその軸周りに回動可能に板材１５に連結すると共に、支持棒懸吊治具１４の棒状部材に軸周りに複数本の回転子１７を等間隔に設け、回転子１７の回動を規制するストッパ１８を板材１５側に設けたものである。この角度調節機構１３により、架線梯子５１を腕金Ａの鋼材に傾斜した状態で強固に固定できる。隣接する回転子１７の角度分の傾斜角度を調節することができる。
【００２８】
また、角度調節機構１３の構成はこの図３に示す構成に限定されない。例えば、支持棒懸吊治具１４の棒状部材をその軸周りに回動可能に板材１５に連結すると共に、この棒状
部材の表面に凹凸を有する円筒材を設け、この円筒材の回動を規制するストッパを板材１５側に設けたものでもよい（図示していない）。このように構成すれば、傾斜角度を微調整することが可能になる。
【００２９】
図４は架線梯子用固定具を用いて架線梯子を腕金に固定した状態を示す平面図である。図５は架線梯子用固定具を用いて架線梯子を腕金に固定した状態を示す側面図である。図６は本発明の架線梯子用固定具を用いて架線梯子を腕金に固定した状態を示す正面図である。
本発明の架線梯子用固定具１では、架線梯子５１を腕金Ａに固定する際に、架線梯子５１の略中間位置に梯子側固定金具５を掛け止める。架線梯子５１の鉄塔側には、鉄塔の鋼材に梯子固定補助具５８を掛け止める。図６に示すように、架線梯子５１が傾斜した状態で固定されているときに、梯子側固定金具５の角度調節機構１３がこの傾斜角度を強固に維持しているので、架線梯子５１が揺れることなく安定した状態で架線梯子５１上の作業を可能にする。そこで、架線梯子５１を傾斜した状態で固定することにより、図６に示すように、送電線（ジャンパー線Ｊ）の保守点検作業を容易に実施することができる。
【００３０】
なお、支持棒３には、図５、図６に示すように、その上下端に腕金側固定金具２の挿通孔９と長孔１１、及び梯子側固定金具５の挿通孔からの抜けを防止する抜け止め１９をそれぞれ設ける。この抜け止め１９は、例えばナットの周囲に弾力性を有する部材を被覆したものなどがある。この抜け止め１９により、架線梯子５１を腕金Ａに固定する際に、腕金側固定金具２を腕金Ａの鋼材に掛け止めるとき、あるいは梯子側固定金具５を架線梯子５１に掛け止めるときに、誤ってそれぞれを締結するときに用いるナット１２、あるいは第一治具６、第二治具７又は梯子側固定金具５が支持棒３から外れることを防止する機能を有する。
【００３１】
図７は本発明の架線梯子用固定具を用いて架線梯子を耐張鉄塔の腕金に固定する状態を示す側面図である。
本発明の架線梯子用固定具１は、耐張鉄塔の腕金Ａに架線梯子５１を固定して、碍子連Ｉを保守点検する際に利用することができる。図示するように、架線梯子５１を腕金Ａ下部で外方へ大きく飛び出した状態で固定する。このときは、梯子固定補助具５８を鉄塔側の鋼材に掛け止める。架線梯子５１の先端が腕金Ａ下部から大きく飛び出しているので、碍子連Ｉの保守点検を容易に実施することができる。
【００３２】
図８は本発明の架線梯子用固定具を用いて架線梯子を耐張鉄塔の腕金に他の手段で固定する状態を示す側面図である。
図示するように、腕金Ａ下部で架線梯子５１を外方へ大きく飛び出した状態で固定するが、この架線梯子５１を本発明の架線梯子用固定具１により水平に固定することも可能である。このとき、梯子固定補助具５８は作業する碍子連Ｉを保守点検する腕金Ａではなく、その下方に位置する他の腕金Ａに装着する。図示例の固定方法は、例えば鉄塔の腕金Ａの上下間隔が狭いときに適した設置方法である。
【００３３】
図９は本発明の架線梯子用固定具を用いて架線梯子を懸垂鉄塔の腕金に固定する状態を示す側面図である。
碍子連Ｉが下方へ長く懸垂した状態の懸垂鉄塔では、本発明の架線梯子用固定具１の腕金側固定金具２と梯子側固定金具５とを大きく離間させ、かつ梯子固定補助具５８は鉄塔の塔体に掛け止める。碍子連Ｉの乗り出し作業用の足場として、架線梯子５１を設置することができ、作業者は安定した架線梯子５１上での作業が可能になる。
【００３４】
図７から図９に示した何れの場合も、本発明の架線梯子用固定具１を用いることにより、架線梯子５１と、ジャンパー線Ｊ又は碍子連Ｉとの間隔を自由に調整することができ、
作業者は作業内容に応じた体勢で安定した架線梯子５１上での作業が可能となり、作業精度の向上と作業時間を短縮することができる。
【００３５】
なお、本発明は上述した発明の実施の形態に限定されず、架線梯子５１の位置や傾斜角度を調整可能に腕金Ａに固定することで、作業者が安定な姿勢を保ちながら作業でき、また強風による架線梯子５１の揺れ、作業者の作業中の移動による揺れを防止し、作業の安全性を向上させた構成であれば、図示したような構成に限定されず、本発明の要旨を逸脱しない範囲で種々変更できることは勿論である。
【産業上の利用可能性】
【００３６】
本発明の架線梯子用固定具は、送電用鉄塔に利用するだけでなく、頻繁に足場（架線梯子）を用いる必要がある鉄塔であれば様々な鉄塔においても利用することができる。
【符号の説明】
【００３７】
１  架線梯子用固定具
２  腕金側固定金具
３  支持棒
４  梯子固定治具
５  梯子側固定金具
６  第一治具
７  第二治具
８  反し部
９  挿通孔
１０  反し部
１１  長孔
１２  ナット
１３  角度調節機構
１４  支持棒懸吊治具
１５  板材
１６  掛止め部
１７  回転子
１８  ストッパ
１９  抜け止め
５１  架線梯子
５８  梯子固定補助具
Ａ  腕金
Ｉ  碍子連
【図１】
2011188659.tif 000003
【図２】
2011188659.tif 000004
【図３】
2011188659.tif 000005
【図４】
2011188659.tif 000006
【図５】
2011188659.tif 000007
【図６】
2011188659.tif 000008
【図７】
2011188659.tif 000009
【図８】
2011188659.tif 000010
【図９】
2011188659.tif 000011
【図１０】
2011188659.tif 000012